(57)【要約】【課題】  収穫作業の作業性，作業能率の向上及び安全性の向上を図り、特に、高齢者（作業者）にとって最適なバスケット用フック具を提供するとともに、低コスト性及び利便性を高める。【解決手段】  バスケットＢに備える一対の把手部Ｈｐ，Ｈｑを装着して当該バスケットＢを吊り下げるバスケット用フック具１であって、木の枝Ｔｗ等の棒体Ｔに引掛可能な逆Ｕ字状に形成した上フック部２と、少なくとも一巻以上を螺旋状に湾曲形成し、把手部Ｈｐ，Ｈｑの一方Ｈｐを収容可能にするとともに、一端３ｓを上フック部２の一端２ｓに連続形成又は連続可能にした第一下フック部３と、この第一下フック部３の他端３ｔから延出することにより、把持部Ｈｐ，Ｈｑの他方Ｈｑを引掛可能に形成した第二下フック部４を備える。【選択図】  図１
2014108078.tif 000002
【特許請求の範囲】
【請求項１】
バスケットに備える一対の把手部を装着して当該バスケットを吊り下げるバスケット用フック具であって、木の枝等の棒体に引掛可能な逆Ｕ字状に形成した上フック部と、少なくとも一巻以上を螺旋状に湾曲形成し、前記把手部の一方を収容可能にするとともに、一端を前記上フック部の一端に連続形成又は連続可能にした第一下フック部と、この第一下フック部の他端から延出することにより、前記把持部の他方を引掛可能に形成した第二下フック部を備えてなることを特徴とするバスケット用フック具。
【請求項２】
所定の太さを有する一本の針金部材を湾曲させて前記上フック部，前記第一下フック部及び前記第二下フック部を連続形成してなることを特徴とする請求項１記載のバスケット用フック具。
【請求項３】
前記バスケットには、収穫した果実を収容する収穫用バスケットを適用することを特徴とする請求項１又は２記載のバスケット用フック具。
【発明の詳細な説明】
【技術分野】
【０００１】
本発明は、バスケットに備える一対の把手部に装着して当該バスケットを吊り下げる際に用いて好適なバスケット用フック具に関する。
【背景技術】
【０００２】
一般に、リンゴ等の果実を果樹から収穫する場合、収穫用バスケットを使用し、収穫した果実を収穫用バスケットに収容している。収穫時には、通常、作業者が収穫用バスケットを一方の手に持ち、設置した脚立に登り、他方の手で果実をもぎ取り、収穫用バスケットに収容している。しかし、このような収穫作業は、収穫用バスケットを手に持つことに伴う不具合、例えば、両手を使えない等の様々な不具合を生じるため、収穫用バスケットを手で持つことなく収穫作業を行うことができるようにしたカゴ保持具も特許文献１で提案されている。
【０００３】
このカゴ保持具は、桃やリンゴなどの果実収穫用のカゴを身体に安定的に保持し得、非常に効率の良い収穫作業が可能となり、且つカゴ内の収穫物の重さが負担になりにくく長時間の作業でも疲れにくいなど非常に作業性に秀れたカゴ保持具の提供を目的としたものであり、具体的な構成は、腰などの身体の胴周部に添設状態に配設し得るカゴ受体に肩掛け用バンドを設けて、この肩掛け用バンドによリカゴ受体をこのカゴ受体の裏面部を身体の胴周部に当接した状態で身体に掛け下げ保持し得るように構成し、このカゴ受体の表面部にカゴの周面を当接した状態でカゴの外周面に巻回してカゴを係止保持せしめるカゴ係止用バンドをカゴ受体に設けたものである。
【先行技術文献】
【特許文献】
【０００４】
【特許文献１】特開平９−００００４２号公報
【発明の概要】
【発明が解決しようとする課題】
【０００５】
しかし、上述した特許文献１に開示される従来のカゴ保持具は、次のような問題点があった。
【０００６】
第一に、カゴ（バスケット）を手に持たずに済む点は解消されるにしても、身体でカゴを支持するため、果実を収容したカゴの重さがそのまま肩や腰等に付加される不具合を生じる。特に、脚立に登って収穫作業を行う場合、身体にカゴが装着されていることは収穫作業の邪魔になり、収穫作業の作業性及び作業能率の低下を招くとともに、身体の横に重いカゴの重量が付加されることは、バランスを崩しやすくなるため、万が一、カゴが脚立や近くの枝等に接触したような場合、安全性の観点からも問題があり、特に、これらの問題は、比較的高齢者の多い現状では無視できない重要な問題となる。
【０００７】
第二に、カゴを身体に装着するため、カゴの大きさをあまり大きくすることはできず、カゴの大きさには限界を生じる。結局、頻繁に他の容器に移し変えるか或いはカゴの交換が必要になるため、作業能率の低下要因となる。特に、移し変える場合は、果実をカゴから出して他の容器に移し変えるため、果実を傷付ける原因にもなるとともに、カゴの交換は、腰の横に付けたカゴを複数の係止ピンを外したり付けたりして着脱する必要があるため、交換作業の労力も大変となる。
【０００８】
本発明は、このような背景技術に存在する課題を解決したバスケット用フック具の提供を目的とするものである。
【課題を解決するための手段】
【０００９】
本発明は、上述した課題を解決するため、バスケットＢに備える一対の把手部Ｈｐ，Ｈｑを装着して当該バスケットＢを吊り下げるバスケット用フック具１であって、木の枝Ｔｗ等の棒体Ｔに引掛可能な逆Ｕ字状に形成した上フック部２と、少なくとも一巻以上を螺旋状に湾曲形成し、把手部Ｈｐ，Ｈｑの一方Ｈｐを収容可能にするとともに、一端３ｓを上フック部２の一端２ｓに連続形成又は連続可能にした第一下フック部３と、この第一下フック部３の他端３ｔから延出することにより、把持部Ｈｐ，Ｈｑの他方Ｈｑを引掛可能に形成した第二下フック部４を備えてなることを特徴とする。
【００１０】
この場合、発明の好適な態様により、フック具１は、所定の太さを有する一本の針金部材Ｗを湾曲させて上フック部２，第一下フック部３及び第二下フック部４を連続形成することができる。なお、バスケットＢには、収穫した果実Ｆ…を収容する収穫用バスケットＢｆを適用することが望ましい。
【発明の効果】
【００１１】
このような構成を有する本発明に係るバスケット用フック具１によれば、次のような顕著な効果を奏する。
【００１２】
（１）  木の枝Ｔｗ等の棒体Ｔに引掛可能な逆Ｕ字状に形成した上フック部２を備えるため、本発明に係るバスケット用フック具１は、基本的に、作業者の近くの枝Ｔｗ等に引掛けることにより、バスケットＢを枝Ｔｗ等に吊り下げることができる。したがって、作業者が持ったり身体に付ける等の必要がないため、脚立に登って収穫作業を行うような場合であっても作業の邪魔になることがなく、収穫作業の作業性及び作業能率の向上を図ることができる。しかも、収穫中に、バランスを崩しやすくなるなどの不具合を生じないため、安全性を高めることができ、特に、高齢者にとって最適なバスケット用フック具１として提供できる。
【００１３】
（２）  基本的には、バスケットＢに備える一対の把手部Ｈｐ，Ｈｑを吊り下げるバスケット用フック具１として機能するため、バスケットＢ自体は、通常、手で持って収穫する際に使用する汎用的なバスケットＢで足りる。したがって、果実Ｆ…を他の容器に移し変える等の作業が不要になるとともに、把持部Ｈｐ，Ｈｑの他方Ｈｑは、第二下フック部４に単に引掛けるのみで足りるため、一対の把手部Ｈｐ，Ｈｑは容易かつ迅速に開くことができる。加えて、比較的単純な構成により低コストに実施できるため、例えば、そのまま各バスケットＢ毎に装着しておくことも可能となり、利便性及び保管性に優れる。
【００１４】
（３）  好適な態様により、フック具１を製作するに際し、所定の太さを有する一本の針金部材Ｗを湾曲させて上フック部２，第一下フック部３及び第二下フック部４を連続形成すれば、更なる実施の容易化及び低コスト化に寄与できる。
【００１５】
（４）  好適な態様により、バスケットＢに、収穫した果実Ｆ…を収容する収穫用バスケットＢｆを適用すれば、特に、脚立を使用した果樹からの収穫作業に利用できるため、収穫作業に伴う各種メリットを享受できる。
【図面の簡単な説明】
【００１６】
【図１】本発明の好適実施形態に係るバスケット用フック具の使用時の状態を示す斜視図、
【図２】同バスケット用フック具の斜視図、
【図３】同バスケット用フック具の正面図、
【図４】同バスケット用フック具の側面図、
【図５】同バスケット用フック具の一部断面平面図、
【図６】同バスケット用フック具の装着方法説明図、
【図７】同バスケット用フック具を装着した収穫用バスケットの斜視図、
【図８】同バスケット用フック具の変更例を示す模式図、
【発明を実施するための形態】
【００１７】
次に、本発明に係る好適実施形態を挙げ、図面に基づき詳細に説明する。
【００１８】
まず、本実施形態に係るバスケット用フック具１の構成について、図１〜図６を参照して説明する。
【００１９】
本実施形態に係るバスケット用フック具１は、図２〜図５に示すように、例えば、直径４〔ｍｍ〕程度であって、ステンレス素材等の金属素材を用いた一本の針金部材Ｗを湾曲させて一体形成（連続形成）する。なお、針金部材Ｗの直径及び素材は、一例であり、素材はプラスチック素材等の他の素材であってもよいし、直径は４〔ｍｍ〕以外の他の直径であってもよい。要は、後述する収穫用バスケットＢｆ（バスケットＢ）に収穫した果実Ｆ…を満杯に収容した状態であっても、変形等を生じることなく吊り下げることができる物理的強度を有し、かつ強度を維持できる素材及び直径を選択すればよい。このように、フック具１を製作するに際し、所定の太さを有する一本の針金部材Ｗを湾曲させて上フック部２，第一下フック部３及び第二下フック部４を連続形成すれば、更なる実施の容易化及び低コスト化に寄与できる利点がある。
【００２０】
このバスケット用フック具１は、上フック部２，第一下フック部３及び第二下フック部４からなる。上フック部２は、図１に示すように、木の枝Ｔｗ（一般的には棒体Ｔ）に引掛可能な逆Ｕ字状に形成する（図４参照）。
【００２１】
また、第一下フック部３は、図２に示すように、少なくとも一巻以上を螺旋状に湾曲させて形成する。この場合、一巻以上とは、二巻であってもよいし、三巻であってもよく、その巻数は任意である。なお、図３において、仮想線で示す符号３ｅは、図２及び図５に現れる第一下フック部３に対して、一巻分を追加した例を示している。即ち、図２及び図５に現れる第一下フック部３が一巻とした場合、仮想線で示す符号３ｅは、二巻の例を示している。一巻の径は、図４に示すように、収穫用バスケットＢｆの把手部Ｈｐ，Ｈｑの一方Ｈｐを収容可能に形成するとともに、図６に示すように、螺旋状に形成した際における針金部材Ｗの軸方向の間隔Ｌｓは、把手部Ｈｐを挿入できる寸法を選定する。そして、この第一下フック部３の一端３ｓは上フック部２の一端２ｓから連続形成する。
【００２２】
さらに、第二下フック部４は、この第一下フック部３の他端３ｔから延出し、図５に示すように、第一下フック部３に対して隙間Ｌｈを空けて上方へ起立させる。例示の形状は、他方の把持部Ｈｑを引掛けることができるように、Ｌ形状に湾曲（折曲）形成した。第二下フック部４の形状は任意であり、要は、他方の把持部Ｈｑを引掛けることができれば、半Ｖ形状，半円状などであってもよい。
【００２３】
次に、本実施形態に係るバスケット用フック具１の使用方法及び機能について、図１〜図７を参照して説明する。
【００２４】
本実施形態に係るバスケット用フック具１は、収穫したリンゴ等の果実Ｆ…を収容する収穫用バスケットＢｆに使用することができる。この収穫用バスケットＢｆの形態を図７に示す。このように、バスケットＢに、収穫した果実Ｆ…を収容する収穫用バスケットＢｆを適用すれば、特に、脚立を使用した果樹からの収穫作業に利用できるため、収穫作業に伴う各種メリットを享受できる利点がある。
【００２５】
収穫用バスケットＢｆは、全体をプラスチック素材等により形成し、上端辺には一対の把手部Ｈｐ，Ｈｑを回動自在に取付けて構成する。この場合、各把手部Ｈｐ，Ｈｑは、それぞれＵ形に形成し、各把手部Ｈｐ，Ｈｑにおける両端部を、回動部Ｒｐ…，Ｒｑ…を介して、収穫用バスケットＢｆの長手方向中央位置に対してその前後の離間した位置に回動自在に取付けた構成を備えている。なお、収穫用バスケットＢｆの形態は、一例であり、各種形態の収穫用バスケットＢｆを適用できる。
【００２６】
一方、バスケット用フック具１を使用する際しては、まず、図７に示すように、一対の把手部Ｈｐ，Ｈｑの一方Ｈｐに、バスケット用フック具１の第一下フック部３を装着する。装着する際には、図６に示すように、第一下フック部３の隙間Ｌｓに一方の把手部Ｈｐを上から挿入する。そして、把手部Ｈｐを隙間Ｌｓに挿入した状態で上フック部２を矢印Ｄｒ方向に回動させる。これにより、上フック部２は把手部Ｈｐに対して旋回変位するため、最後に、第二下フック部４の先端４ｔを矢印Ｄｓ方向へ変位、即ち、先端４ｔを把手部Ｈｐを跨ぐように他方側へ変位させれば、図７に示すように、把手部Ｈｐを第一下フック部３の内部に挿通させることができる。以上により、収穫用バスケットＢｆに対するバスケット用フック具１の装着は終了する。
【００２７】
また、収穫作業時には次のように使用する。まず、図７の状態から各把手部Ｈｐ，Ｈｑを上方へ回動変位させる。そして、一方の把手部Ｈｐに装着したバスケット用フック具１における第二下フック部４に、他方の把手部Ｈｑを上から掛止すればよい。このように、他方の把手部Ｈｑは、極めて容易に装着できる。いわばワンタッチで引掛けることができる。この状態の把手部Ｈｐ，Ｈｑを、図４及び図５に仮想線で示すとともに、図１には、使用時における収穫用バスケットＢｆとバスケット用フック具１の状態を示し、把手部Ｈｐ，Ｈｑは、それぞれ並んだ状態でバスケット用フック具１の第一下フック部３と第二下フック部４により支持される。
【００２８】
したがって、作業者が使用する際には、バスケット用フック具１を装着した収穫用バスケットＢｆを持って、例えば、脚立に登り、図１に示すように、上フック部２を、リンゴの木等の果樹における適当な枝Ｔｗに引掛ければ、収穫用バスケットＢｆを枝Ｔｗから吊下げることができる。これにより、作業者は、リンゴ等の果実Ｆ…を収穫し、当該収穫用バスケットＢｆに収容できる。そして、収穫用バスケットＢｆが果実Ｆ…により満杯になったなら、上フック部２を枝Ｔｗから外し、持って降ろせばよい。
【００２９】
なお、収穫用バスケットＢｆから収容した果実Ｆ…を取出す際には、第二下フック部４から他方の把手部Ｈｑを上方へ持ち上げれば、第二下フック部４から把手部Ｈｑを容易に（ワンタッチで）離脱させることができる。これにより、一対の把手部Ｈｐ，Ｈｑを両側に開いて降ろし、図７に示す状態にすることができる。したがって、収穫用バスケットＢｆに収容されたリンゴ等の果実Ｆ…を取出す際は、把手部Ｈｐ，Ｈｑが邪魔になることがなく容易に取出すことができる。
【００３０】
他方、収穫用バスケットＢｆからバスケット用フック具１を取外す際には、上述した装着時とは逆の手順で操作することにより容易に取外すことができる。これにより、収穫用バスケットＢｆはバスケット用フック具１が装着されていない通常のバスケットとして使用できるとともに、取外したバスケット用フック具１は、他の収穫用バスケットＢｆに装着して使用することができる。
【００３１】
よって、このような本実施形態に係るバスケット用フック具１によれば、木の枝Ｔｗ等の棒体Ｔに引掛可能な逆Ｕ字状に形成した上フック部２を備えるため、本発明に係るバスケット用フック具１は、基本的に、作業者の近くの枝Ｔｗ等に引掛けることにより、バスケットＢを枝Ｔｗ等に吊り下げることができる。したがって、作業者が持ったり身体に付ける等の必要がないため、脚立に登って収穫作業を行うような場合であっても作業の邪魔になることがなく、収穫作業の作業性及び作業能率の向上を図ることができる。しかも、収穫中に、バランスを崩しやすくなるなどの不具合を生じないため、安全性を高めることができ、特に、高齢者にとって最適なバスケット用フック具１として提供できる。また、基本的には、バスケットＢに備える一対の把手部Ｈｐ，Ｈｑを吊り下げるバスケット用フック具１として機能するため、バスケットＢ自体は、通常、手で持って収穫する際に使用する汎用的なバスケットＢで足りる。したがって、果実Ｆ…を他の容器に移し変える等の作業が不要になるとともに、把持部Ｈｐ，Ｈｑの他方Ｈｑは、第二下フック部４に単に引掛けるのみで足りるため、一対の把手部Ｈｐ，Ｈｑは容易かつ迅速に開くことができる。加えて、比較的単純な構成により低コストに実施できるため、例えば、そのまま各バスケットＢ毎に装着しておくことも可能となり、利便性及び保管性に優れる。
【００３２】
以上、好適実施形態について詳細に説明したが、本発明は、このような実施形態に限定されるものではなく、細部の構成，形状，素材，数量等において、本発明の要旨を逸脱しない範囲で、任意に変更，追加，削除することができる。
【００３３】
例えば、本発明に係るバスケット用フック具１は、図８（ａ），（ｂ）に示すように、一部の形態を変更して任意に実施できる。図８（ａ）に示すバスケット用フック具１は、第一下フック部３と上フック部２を別体の独立した部品として構成し、第一下フック部３と上フック部２を着脱可能にしたものである。即ち、上フック部２の一端２ｓに対して、第一下フック部３の一端３ｓを連続可能にしたものであり、この点が、前述した図１〜図５に示したバスケット用フック具１、即ち、第一下フック部３の一端３ｓと上フック部２の一端２ｓを連続形成したバスケット用フック具１と異なる。
【００３４】
例示の場合、上フック部２の一端２ｓにリング部１１を形成し、他方、第一下フック部３の一端３ｓに当該リング部１１に係止可能な係止部１２を設けた。これにより、上フック部２に対して第一下フック部３を着脱可能になるため、例えば、上フック部２に対して他の異なる第一下フック部３に交換できる。この場合、異なる収穫用バスケットＢｆに装着したいが、把手部Ｈｐ…が太過ぎて第一下フック部３に挿入できないときなどに有効となる。また、上フック部２と第一下フック部３間の長さ調整も可能になる。この場合、上フック部２と第一下フック部３間に別途の連結棒を介在させればよく、適当な高さの枝Ｔｗが近く無い場合等に有効となる。
【００３５】
一方、図８（ｂ）は、上フック部２の先端をＵ形に折曲げてミニフック部１５を形成した例を示す。これにより、例えば、収穫バサミ１６等をミニフック部１５に一時的に掛けておく場合等に利用でき、バスケット用フック具１の機能性及び利便性を高めることができる。
【００３６】
このように、バスケット用フック具１は、基本的な機能を損なわない限り、各種形態により実施することができる。なお、図８（ａ），（ｂ）において、図１〜図５と同一部分には同一符号を付し、その構成を明確にした。また、例示の収穫用バスケットＢｆは、リンゴをはじめ、みかん，桃，梨等の各種果実Ｆ…を収容できる。
【産業上の利用可能性】
【００３７】
本発明に係るバスケット用フック具は、収穫した果実を収容する収穫用バスケットをはじめ、各種物品、例えば、各種部品や製品等を収容する各種物品収容用バスケット等にも同様に利用できる。
【符号の説明】
【００３８】
１：バスケット用フック具，２：上フック部，２ｓ：上フック部の一端，３：第一下フック部，３ｓ：第一下フック部の一端，３ｔ：第一下フック部の他端，４：第二下フック部，Ｂ：バスケット，Ｂｆ：収穫用バスケット，Ｈｐ：把手部，Ｈｑ：把手部，Ｔ：棒体，Ｔｗ：木の枝，Ｗ：針金部材，Ｆ…：果実
【図１】
2014108078.tif 000003
【図２】
2014108078.tif 000004
【図３】
2014108078.tif 000005
【図４】
2014108078.tif 000006
【図５】
2014108078.tif 000007
【図６】
2014108078.tif 000008
【図７】
2014108078.tif 000009
【図８】
2014108078.tif 000010